(57)【要約】【課題】庫内温度を正確に検知し、庫内温度センサが破損することのない冷気循環式ショーケースを提供する。【解決手段】外箱２と内箱３との間に形成した冷気循環通路５に設けた冷却手段６および冷気循環ファン７を運転して冷却した冷気を冷気吹出口８から吹き出させて庫内４を冷却し、冷気吹出口８に対向させて形成した吸込口９から吸い込ませるようにして庫内４に冷気を循環送風して冷却する冷気循環式ショーケース１において、冷気吹出口８が設けられている側の内箱３側壁を構成する背面パネル板金３１に凹部３１ａを設け、庫内４の温度を検知する庫内温度センサ３２を、ナイロンクランプ３３を介してセンサ取付金具３４で凹部３１ａ内に取り付けるようにした。【選択図】図１
2015167797.tif 000002
【特許請求の範囲】
【請求項１】
ケース本体の外箱と内箱との間に形成した冷気循環通路に冷却手段および冷気循環ファンを設け、前記冷却手段および前記冷気循環ファンを運転して冷却した冷気を前記冷気循環通路の冷気吹出口から吹き出させて庫内を冷却し、前記冷気吹出口に対向させて形成した吸込口から吸い込ませるようにして前記庫内に冷気を循環送風して冷却する冷気循環式ショーケースにおいて、
前記冷気吹出口が設けられている側の内箱側壁に凹部を設け、前記庫内の温度を検知する庫内温度センサを、断熱部材を介して前記内箱側壁に設けた凹部に取り付けたことを特徴とする冷気循環式ショーケース。
【請求項２】
前記庫内温度センサは、前記凹部内に収容される態様で取り付けられることで、前記庫内に配置される商品陳列ケースの着脱から前記庫内温度センサを保護することを特徴とする請求項１に記載の冷気循環式ショーケース。
【発明の詳細な説明】
【技術分野】
【０００１】
本発明は、冷却手段で冷却した冷気を冷気循環通路から庫内に循環送風して陳列している商品を冷却する冷気循環式ショーケースに関する。
【背景技術】
【０００２】
冷気循環式ショーケースは、断熱筐体から成るケース本体の外箱と内箱との間に形成した冷気循環通路に冷却手段および冷気循環ファンを設け、冷却運転時には、冷却手段および冷気循環ファンを運転して冷却した冷気を冷気循環通路から庫内に循環送風して庫内に陳列している商品を冷却するようにしている。
【０００３】
このような冷気循環式ショーケースでは、陳列している商品が常に適切な温度で冷却されていることを確認するため、庫内に温度計を取り付け、庫内の温度を温度計で表示させるようにしている（例えば、特許文献１参照）。
【０００４】
また、図４および図５に示しているように、庫内４の温度を検知する庫内温度センサ３２を内箱３の壁面を構成する背面パネル板金３１にねじ３５にてセンサ取付金具４１で取り付け、この庫内温度センサ３２が検知して出力する温度信号に基づいて外箱２の上壁２１に設けている庫内温度表示部２４に庫内温度を表示させるようにした冷気循環式ショーケース４０もある。
【先行技術文献】
【特許文献】
【０００５】
【特許文献１】特開２００２−３２３２８６号公報
【発明の概要】
【発明が解決しようとする課題】
【０００６】
上述した冷気循環式ショーケース４０では、庫内温度センサ３２を背面パネル板金３１にセンサ取付金具４１で取り付けているため、冷気循環通路５に設けられている冷却手段６で冷却されて冷気循環ファン７で冷気吹出口８から吸込口９へと循環送風している冷気で直接冷やされている背面パネル板金３１の温度を庫内温度センサ３２が検知することになり、この場合、庫内温度表示部２４に表示される温度が庫内４の実際の温度より低く表示される虞がある。そして、庫内温度表示部２４に庫内４の実際の温度より低い温度が表示されると、庫内４が冷えすぎているとして庫内温度の設定を上げてしまうことになり、冷気循環式ショーケース４０の庫内４が適切な温度範囲から逸脱してしまう虞が生じる。
【０００７】
また、庫内４に配置する商品陳列ケース１０を着脱する際、庫内温度センサ３２に商品陳列ケース１０が当たるなどの不都合により、庫内温度センサ３２を破損させてしまう虞があった。
【０００８】
本発明は、以上のような課題を解決するためになされたものであり、庫内温度を正確に検知し、庫内温度センサが破損することのない冷気循環式ショーケースを提供することを目的とする。
【課題を解決するための手段】
【０００９】
上記の目的を達成するために、本発明の請求項１に係る冷気循環式ショーケースは、ケース本体の外箱と内箱との間に形成した冷気循環通路に冷却手段および冷気循環ファンを設け、前記冷却手段および前記冷気循環ファンを運転して冷却した冷気を前記冷気循環通路の冷気吹出口から吹き出させて庫内を冷却し、前記冷気吹出口に対向させて形成した吸込口から吸い込ませるようにして前記庫内に冷気を循環送風して冷却する冷気循環式ショーケースにおいて、
前記冷気吹出口が設けられている側の内箱側壁に凹部を設け、前記庫内の温度を検知する庫内温度センサを、断熱部材を介して前記内箱側壁に設けた凹部に取り付けたことを特徴とする。
【００１０】
また、本発明の請求項２に係る冷気循環式ショーケースは、上述した請求項１において、前記庫内温度センサは、前記凹部内に収容される態様で取り付けられることで、前記庫内に配置される商品陳列ケースの着脱から前記庫内温度センサを保護することを特徴とする。
【発明の効果】
【００１１】
請求項１の発明によれば、ケース本体の外箱と内箱との間に形成した冷気循環通路に冷却手段および冷気循環ファンを設け、前記冷却手段および前記冷気循環ファンを運転して冷却した冷気を前記冷気循環通路の冷気吹出口から吹き出させて庫内を冷却し、前記冷気吹出口に対向させて形成した吸込口から吸い込ませるようにして前記庫内に冷気を循環送風して冷却する冷気循環式ショーケースにおいて、前記冷気吹出口が設けられている側の内箱側壁に凹部を設け、前記庫内の温度を検知する庫内温度センサを、断熱部材を介して前記内箱側壁に設けた凹部に取り付けたことにより、庫内温度を正確に検知し、庫内温度センサが破損することのない冷気循環式ショーケースを提供することが可能となる。
【００１２】
また、請求項２の発明によれば、前記庫内温度センサは、前記凹部内に収容される態様で取り付けられることで、前記庫内に配置される商品陳列ケースの着脱から前記庫内温度センサを保護することにより、庫内温度センサが破損することのない冷気循環式ショーケースを提供することが可能となる。
【図面の簡単な説明】
【００１３】
【図１】本発明の実施の形態である冷気循環式ショーケースの内部構造を側方から見た場合を模式的に示す断面側面図である。
【図２】図１に示した冷気循環式ショーケースの庫内温度センサの取付構造を模式的に示し、図２（ａ）はその断面側面図、図２（ｂ）は正面図である。
【図３】図２に示したセンサ取付部材を示し、図３（ａ）はその側面図、図３（ｂ）は正面図である。
【図４】従来の冷気循環式ショーケースの内部構造を側方から見た場合を模式的に示す断面側面図である。
【図５】図４に示した冷気循環式ショーケースの庫内温度センサの取付構造を模式的に示し、図５（ａ）はその断面側面図、図５（ｂ）は正面図である。
【発明を実施するための形態】
【００１４】
以下、図面を参照しながら、本発明に係る冷気循環式ショーケースの好適な実施の形態について詳細に説明する。なお、この実施の形態によりこの発明が限定されるものではない。また、従来と同一構成に関しては同一符号を用いる。
【００１５】
図１は、本発明の実施の形態である冷気循環式ショーケースの内部構造を側方から見た場合を模式的に示す断面側面図である。
【００１６】
図に示すように、冷気循環式ショーケース１は、断熱筐体から成るケース本体の外箱２と、上面を開放し且つ内側に庫内４を形成する内箱３と、外箱２と内箱３との間に内箱３を取り巻くように形成される冷気循環通路５と、から構成されている。
【００１７】
この冷気循環通路５には、冷却手段６および冷気循環ファン７が設けられ、冷気循環通路５の両端は庫内４を挟む態様で冷気吹出口８および庫内空気の吸込口９が対向するようにして開口している。また、庫内４には、商品を陳列する商品陳列ケース１０が配置される。
【００１８】
さらに、外箱２は上壁２１で開口部２２を上面に形成し、上壁２１の周囲はアクリルフェンス２３で覆われるとともに、上壁２１の上面には庫内４の温度を表示するための庫内温度表示部２４が設けられている。この庫内温度表示部２４で表示される温度は、内箱３の冷気吹出口８が設けられている側の側壁を構成する背面パネル板金３１に取り付けられている庫内温度センサ３２が検知して出力する温度信号に基づいて庫内４の温度が表示される。
【００１９】
そして、冷却運転時には、冷却手段６および冷気循環ファン７を運転し、吸込口９から吸い込んだ庫内空気を冷却手段６で冷却した冷気を冷気循環ファン７で冷気循環通路５の冷気吹出口８から庫内４に循環送風して庫内４の商品陳列ケース１０に陳列している商品を冷却するようにしている。
【００２０】
ここで庫内４の温度を検知する庫内温度センサ３２の取付構造について図２、図３を用いて詳細に説明する。
【００２１】
図２は、図１に示した冷気循環式ショーケースの庫内温度センサの取付構造を模式的に示し、図２（ａ）はその断面側面図、図２（ｂ）は正面図である。また、図３は、図２に示したセンサ取付部材を示し、図３（ａ）はその側面図、図３（ｂ）は正面図である。
【００２２】
図２および図３に示しているように、庫内温度センサ３２はナイロンクランプ（断熱部材）３３を介してねじ３５でセンサ取付金具３４に取り付けられている。また、背面パネル板金３１には凹部３１ａが設けられている。そして、センサ取付金具３４がねじ３５で背面パネル板金３１に取り付けられることで、庫内温度センサ３２は、凹部３１ａ内に収容される態様で取り付けられる。
【００２３】
このように、庫内４の温度を検知して温度信号を出力する庫内温度センサ３２をナイロンクランプ（断熱部材）３３を介して、内箱３の冷気吹出口８が設けられている側の側壁を構成する背面パネル板金３１の凹部３１ａに取り付けることで、庫内４の温度を正確に検知し、庫内温度センサ３２が破損することのない冷気循環式ショーケース１を提供することができる。
【００２４】
また、庫内温度センサ３２が背面パネル板金３１の凹部３１ａ内に収容される態様で取り付けられることで、庫内４に配置される商品陳列ケース１０の着脱から庫内温度センサ３２を保護することで、庫内温度センサ３２が破損することのない冷気循環式ショーケース１を提供することができる。
【００２５】
以上説明したように本発明によれば、ケース本体の外箱２と内箱３との間に形成した冷気循環通路５に冷却手段６および冷気循環ファン７を設け、冷却手段６および冷気循環ファン７を運転して冷却した冷気を冷気循環通路５の冷気吹出口８から吹き出させて庫内４を冷却し、冷気吹出口８に対向させて形成した吸込口９から吸い込ませるようにして庫内４に冷気を循環送風して冷却する冷気循環式ショーケース１において、冷気吹出口８が設けられている側の内箱３側壁を構成する背面パネル板金３１に凹部３１ａを設け、庫内４の温度を検知する庫内温度センサ３２を、ナイロンクランプ（断熱部材）３３を介してセンサ取付金具３４で内箱３側壁を構成する背面パネル板金３１に設けた凹部３１ａに取り付けたことにより、庫内４の温度を正確に検知し、庫内温度センサ３２が破損することのない冷気循環式ショーケース１を提供することが可能となる。
【００２６】
また、庫内温度センサ３２は、凹部３１ａ内に収容される態様で取り付けられることで、庫内４に配置される商品陳列ケース１０の着脱から庫内温度センサ３２を保護することにより、庫内温度センサ３２が破損することのない冷気循環式ショーケース１を提供することが可能となる。
【００２７】
さらに、センサ取付金具３４は、ねじ３５に替えて、溶接にて背面パネル板金３１に取り付けられるようにしてもよい。
【００２８】
なお、図示実施例は平型冷気循環式ショーケースを実施対象として説明したが、本発明を適用する冷気循環式ショーケースは平型冷気循環式ショーケースに限定されるものではなく、前面扉付きのリーチイン型冷気循環式ショーケースや冷気循環式オープンショーケースおよび冷凍庫においても同様に実施適用することが可能である。
【符号の説明】
【００２９】
１      冷気循環式ショーケース
２      外箱
３      内箱
４      庫内
５      冷気循環通路
６      冷却手段
７      冷気循環ファン
８      冷気吹出口
９      吸込口
１０      商品陳列ケース
２４      庫内温度表示部
３１      背面パネル板金
３１ａ      凹部
３２      庫内温度センサ
３３      ナイロンクランプ（断熱部材）
３４      センサ取付金具
４０      冷気循環式ショーケース
４１      センサ取付金具
【図１】
2015167797.tif 000003
【図２】
2015167797.tif 000004
【図３】
2015167797.tif 000005
【図４】
2015167797.tif 000006
【図５】
2015167797.tif 000007